(57)【要約】【課題】構造がコンパクトで取り付け安定性に優れた浴槽用手摺りの提供を目的とする。【解決手段】浴槽の側壁に取り付けるための手摺りであって、浴槽側壁に位置させる本体部に設けた垂直部材と、前記垂直部材に対向配置した対向部材とを備え、前記対向部材は前記垂直部材に向けて前進及び後退移動可能に取り付けた固定板を有し、前記固定板と前記垂直部材との間に浴槽側壁を挟み込むものであり、前記固定板を前進及び後退移動可能にした押え機構は前記対向部材に回動可能に取り付けた袋ナット部材と、前記固定板に取り付けた軸部材との螺合であり、前記袋ナット部材を回動操作する操作ノブを有し、前記袋ナット部材と操作ノブとの間に前記固定板に所定以上の押圧力が負荷されると空回りするトルク伝達機構を有することを特徴とする。【選択図】  図２
2019209062.tif 000002
【特許請求の範囲】
【請求項１】
浴槽の側壁に取り付けるための手摺りであって、
浴槽側壁に位置させる本体部に設けた垂直部材と、前記垂直部材に対向配置した対向部材とを備え、
前記対向部材は前記垂直部材に向けて前進及び後退移動可能に取り付けた固定板を有し、
前記固定板と前記垂直部材との間に浴槽側壁を挟み込むものであり、
前記固定板を前進及び後退移動可能にした押え機構は前記対向部材に回動可能に取り付けた袋ナット部材と、前記固定板に取り付けた軸部材との螺合であり、
前記袋ナット部材を回動操作する操作ノブを有し、
前記袋ナット部材と操作ノブとの間に前記固定板に所定以上の押圧力が負荷されると空回りするトルク伝達機構を有することを特徴とする浴槽用手摺り。
【請求項２】
前記トルク伝達機構は袋ナット部材側のトルク伝達板とこれに圧接する操作ノブ側のトルク伝達板を有し、
前記操作ノブ側のトルク伝達板は操作ノブ側に配設したスプリングの付勢力によることを特徴とする請求項１記載の浴槽用手摺り。
【請求項３】
前記スプリングは前記操作ノブの項部側が開口したスプリング収容部に収容し、
前記項部側の開口部はスプリングを押える押え部材を有し、
前記押え部材は袋ナット部材に取り付けてあることを特徴とする請求項２記載の浴槽用手摺り。
【発明の詳細な説明】
【技術分野】
【０００１】
本発明は、浴槽に取り付け及び取り外しが可能であり、浴槽の側壁に取り付けた際に適度の取付力を保持するのに好適な浴槽用手摺りに関する。
【背景技術】
【０００２】
浴槽に手摺りを取り付ける際に過度な締付力を防止したものとしては、特許文献１，２等が公知である。
特許文献１は、浴槽の両側の側壁の内側に突っ張り力にて取り付ける入浴補助具を開示し、突っ張り力を伝達するばねの撓み量が一定値を超えると、突っ張り力を発生させる機構が空回りするものである。
しかし、同公報に開示する入浴補助具は、浴槽の両側の側壁に跨がるように取り付けられるので、入浴スペースが狭くなる。
また、取り付け位置に制限が生じる。
【０００３】
これに対して特許文献２には、片側の側壁に固定できる浴槽用手摺りを開示する。
しかし、同公報に開示する取付構造にあっては、ノブを本体フレームの垂直部に取り付けた構造になっているので、この取付部を覆うためのカバーが必要になる。
これでは、カバー内部に水が溜まりやすく、水垢やカビが発生した場合の除去が大変である。
特に特許文献２には、突出したボルト軸を収容するための室をノブの内側に有しているため、この室に水が浸入しやすく、室に水垢やカビが発生すると異臭の原因になるだけでなく、ボルト軸が廻りにくくなる不具合が発生しやすい技術的課題がある。
【先行技術文献】
【特許文献】
【０００４】
【特許文献１】特開２００３−２６５３４５号公報
【特許文献２】特許第５５４８８３５号公報
【発明の概要】
【発明が解決しようとする課題】
【０００５】
本発明は、構造がコンパクトで取り付け安定性に優れた浴槽用手摺りの提供を目的とする。
【課題を解決するための手段】
【０００６】
本発明に係る浴槽用手摺りは、浴槽の側壁に取り付けるための手摺りであって、浴槽側壁に位置させる本体部に設けた垂直部材と、前記垂直部材に対向配置した対向部材とを備え、前記対向部材は前記垂直部材に向けて前進及び後退移動可能に取り付けた固定板を有し、前記固定板と前記垂直部材との間に浴槽側壁を挟み込むものであり、前記固定板を前進及び後退移動可能にした押え機構は前記対向部材に回動可能に取り付けた袋ナット部材と、前記固定板に取り付けた軸部材との螺合であり、前記袋ナット部材を回動操作する操作ノブを有し、前記袋ナット部材と操作ノブとの間に前記固定板に所定以上の押圧力が負荷されると空回りするトルク伝達機構を有することを特徴とする。
ここで本体部は、フレーム等を介してグリップを取り付けた手摺りの本体部をいい、必要に応じて対向部材等にサブグリップを取り付けてもよい。
本発明において上記本体部は、浴槽の外側でも内側でもよい。
【０００７】
本発明において、トルク伝達機構は袋ナット部材側のトルク伝達板とこれに圧接する操作ノブ側のトルク伝達板を有し、前記操作ノブ側のトルク伝達板は操作ノブ側に配設したスプリングの付勢力によるものであってよい。
この場合に、スプリングは前記操作ノブの項部側が開口したスプリング収容部に収容し、前記項部側の開口部はスプリングを押える押え部材を有し、前記押え部材は袋ナット部材に取り付けることができる。
【０００８】
操作ノブ側のトルク伝達板を袋ナット部材側のトルク伝達板に圧接させることで、操作ノブを締め付け方向に回動すると、このトルクが袋ナット部材に伝達され、袋ナット部材が廻る。
これにより、袋ナット部材に螺合されている軸部材が前進し、固定板も前進し、固定板と本体部側の垂直部材との間に浴槽側壁を挟み込むようにして固定される。
この場合に、操作ノブのスプリング収容部に収容されたスプリングの一端を袋ナット部材に取り付けた押え部材にて、このスプリングが縮小する方向に押え付けてあるので、このスプリングに付勢力が働き、操作ノブに取り付けたトルク伝達板を袋ナット部材側のトルク伝達板に向けて押し付けた状態になっている。
操作ノブを締め付け方向に回すことで固定板が浴槽側壁を押圧することになるが、所定以上の押圧力が働くと、その反発力が軸部材に生じる。
この反発力により、軸部材に螺合している袋ナット部材が後退し、それに伴いスプリングの一端を押えている押え部材が後退するので、一対のトルク伝達板の間に空回りが生じることになり、それ以上の押圧力が固定板に生じなくなる。
【発明の効果】
【０００９】
本発明に係る浴槽用手摺りにあっては、対向部材に取り付けた袋ナット部材に固定板を前進及び後退移動させるための軸部材を螺合してある。
この点において、特許文献２がナットの後方からボルト軸が突出するのと構造が相違し、ノブにボルト軸を収容するための室も本発明には不要となる。
また、本発明においては袋ナットのため、軸部材が後方から突出することがないので、操作ノブにスプリングを収容させつつ、このスプリングの一端を押えるための押え部材を袋ナット部材に取り付けることができるため、構造がコンパクトになる。
【図面の簡単な説明】
【００１０】
【図１】本発明に係る浴槽用手摺りの構造例を示す。
【図２】（ａ）は浴槽用手摺りの断面図を示し、（ｂ）は部分拡大図を示す。
【図３】袋ナット部材と操作ノブ及びそのトルク伝達部品の分解説明図を示す。
【図４】（ａ），（ｂ）は対向部材への固定板の取り付け構造を示す。
【図５】（ａ），（ｂ）はグリップの上下移動を示す。
【図６】（ａ）はサブグリップ側から見た側面視を示し、（ｂ）はＢ−Ｂ線断面図を示す。
【図７】本体部側から見た正面視を示す。
【図８】操作ノブ側から見た背面視を示す。
【発明を実施するための形態】
【００１１】
本発明に係る浴槽用手摺りの構造例を以下図に基づいて説明するが、本発明はこれに限定されない。
【００１２】
図１は、浴槽側壁１に本発明に係る手摺りを取り付け、固定した状態を示す。
図２に手摺りの断面図を示す。
本体部１０に高さ調整可能なフレーム１１を取り付け、その上部に手摺りとなるグリップ１２を連結固定してある。
その正面視を図７に示し、フレーム１１に複数段の固定孔１１ａ〜１１ｅを設けてあり、本体部１０の固定ボルト１０ａにてグリップ１２を高さ調整後に固定できる。
【００１３】
本体部１０には、浴槽側壁１の一方の側面に当接させるための垂直部材１３を有し、この垂直部材１３の上部から浴槽側壁１の上端面を横切る方向に延在させた水平部材１４を有する。
この水平部材１４に対して、図５，６に示すように浴槽側壁１の厚みに合せて、スライド可能なスライド部材１５を取り付けてある。
本実施例では、図６（ｂ）にＢ−Ｂ線断面図を示すように位置決め孔１５ｂと、固定ボルト１５ｃにてスライド幅が段階的に調整及び固定可能になっている。
このスライド部材１５から下方に垂下（折り曲げ）させることで、本体部１０側の垂直部材１３に平行に対向させた対向部材１６を有する。
この対向部材１６に、操作ノブ２１の回動操作により浴槽側壁１の他方の側面に向けて前進及び後退移動する固定板２４を有する。
本実施例では、浴槽との当接面には、それぞれ弾力性のある表皮材１３ａ，１４ａ，２４ａを貼り付けてある。
本実施例では、図８に示すように対向部材１６にサブグリップ１７を取り付けてある。
【００１４】
次に、操作ノブの回転による固定板２４の移動機構（押え機構）について説明する。
図２に断面図を示し、部品図を図３に示す。
袋ナット部材２２は内側に、めねじ部を形成しためねじ部材２２ａがインサートされている。
袋ナット部材２２は、対向部材１６の装着孔１６ａに装着したスリーブ２２ｂとピン２２ｃにて、ピン止めされている。
スリーブ２２ｂは、装着孔１６ａよりも外径が大きいつば部１２２ｂを有し、対向部材１６と直交する方向に所定のアソビを形成しながら、袋ナット部材２２と連結されている。
めねじ部材２２ａには、おねじ部２３ａを有する軸部材２３が螺合され、この軸部材２３の先端側に固定板２４が座２４ｂを介してネジ部材２４ｃにて取り付けられている。
【００１５】
操作ノブ２１は、項部側が開口した回動軸中心と同心円状に形成したスプリング収容部２１ａを有し、この中にスプリング２５を挿入し、このスプリング２５を圧縮させた状態で押え部材２６を袋ナット部材２２の端部（項部）に座２６ｃを介して、ボルト２６ｂとナット２６ａにて取り付けてある。
これにより、操作ノブ２１は対向部材１６側に向けて付勢されている。
本実施例では、押え部材２６にノブカバー２７を取り付けてある。
【００１６】
袋ナット部材２２の外周部には、段差状の六角形状からなる回り止め部２２ｄを形成し、この回り止め部２２ｄの部分にスペーサー３２ａを嵌着し、このスペーサー３２ａに袋ナット部材側のトルク伝達板３２をピン３２ｂで、ピン止めしてある。
一方、操作ノブ２１の対向部材側の内側に、廻り止めを目的に六角形状にしたスペーサー３１ａを嵌着し、このスペーサー３１ａに操作ノブ側のトルク伝達板３１をピン３１ｂにてピン止めしてある。
これにより、操作ノブ２１を締め付け方向に回すと、スプリング２５の付勢力により、操作ノブ側トルク伝達板と、袋ナット部材側トルク伝達板が圧接しているので、このトルク伝達板を介して袋ナット部材２２がスリーブ２２ｂと装着孔１６ａとの間を摺動部として回動する。
これにより、袋ナット部材２２に螺合されている軸部材２３が突出方向に前進し、固定板２４と垂直部材１３との間に、浴槽側壁１を挟み込むことになる。
操作ノブ２１の締め付け力が所定の値よりも大きくなると、固定板２４の浴槽側壁１に対する反発力も所定の値よりも大きくなる。
この力が袋ナット部材２２に伝達され、スプリング２５の押え部材２６が後退するので、スプリング２５の付勢力が弱くなることで、一対のトルク伝達板３１，３２が、相対的に空回りするようになるので、固定板２４に所定以上の押圧力が発現するのを抑えることができる。
【符号の説明】
【００１７】
１        浴槽側壁
１０      本体部
１１      フレーム
１２      グリップ
１３      垂直部材
１４      水平部材
１５      スライド部材
１５ａ    スライドカバー
１６      対向部材
１７      サブグリップ
２１      操作ノブ
２１ａ    スプリング収容部
２２      袋ナット部材
２２ａ    めねじ部材
２２ｂ    スリーブ
２２ｃ    ピン
２３      軸部材
２３ａ    おねじ部
２４      固定板
２５      スプリング
２６      押え部材
２７      ノブカバー
３１      トルク伝達板
３２      トルク伝達板
【図１】
2019209062.tif 000003
【図２】
2019209062.tif 000004
【図３】
2019209062.tif 000005
【図４】
2019209062.tif 000006
【図５】
2019209062.tif 000007
【図６】
2019209062.tif 000008
【図７】
2019209062.tif 000009
【図８】
2019209062.tif 000010